(57)【特許請求の範囲】
【請求項１】
コンタクトガラスに載置された原稿の画像を読み取り、読み取った画像を設定された用紙サイズあるいは印刷倍率に応じた印刷データとして出力する画像読取装置であって、
電圧の印加状態によって透過率が変化する調光ガラス部を有し、一面が原稿を載置する原稿載置面であるコンタクトガラスと、
前記コンタクトガラスに載置された原稿の画像を読み取り、記憶部に読み取った原稿の画像データを出力するスキャナ部と、
前記コンタクトガラスの原稿載置面の反対面側から該コンタクトガラスに対して画像情報を投影するプロジェクタ部と、
画像情報を表示する表示部と、
前記スキャナ部の読み取り実行および前記記憶部が記憶する画像データに対する画像処理動作を設定する操作部と、
前記調光ガラス部に印加する電圧を制御する制御部と、を備え、
前記プロジェクタ部は、前記記憶部が記憶する画像データに基づいて、サムネイル表示を、または画像処理、印刷する画像として選択された画像表示を投影して、前記第１の画像表示を行い、
前記表示部は、前記第１の画像表示を縮小した第２の画像表示を表示し、
前記スキャナ部動作時では、前記制御部は、前記コンタクトガラスの透過率が高くなるように制御すると共に、前記プロジェクタ部は、前記コンタクトガラスへの画像情報の投影を停止し、
前記スキャナ部非動作時では、前記制御部は、前記コンタクトガラスの透過率が低くなるように制御すると共に、前記プロジェクタ部は、画像情報として前記記憶部が記憶する画像データを前記コンタクトガラスに投影し第１の画像表示を行い、
前記操作部の前記記憶部が記憶する画像データに対する画像処理動作の設定は、前記第１の画像表示及び前記第２の画像表示に連動してなることを特徴とする画像読取装置。
【請求項２】
前記画像処理動作は、複数の画像を合成する合成画像処理であり、
前記選択された画像を表示するときに、画像データに基づく表示に加えて印刷エリアを示す領域表示を、前記第１の画像表示及び第２の画像表示に付加して表示する印刷領域表示手段を備えることを特徴とする請求項１に記載の画像読取装置。
【請求項３】
前記操作部が、前記画像処理動作の設定として、前記記憶部が記憶する画像データを合成するメモリ合成モードを選択し、
且つ、前記プロジェクタ部が、前記記憶部が記憶する画像データに基づいてサムネイル表示を投影して、前記第１の画像表示を行っているとき、
前記操作部が、当該サムネイル表示されている画像データから２以上の画像データを選択した場合、
前記プロジェクタ部は、当該選択された２以上の画像データを投影して第１の画像表示を更新し、
前記表示部は、当該更新された第１の画像表示を縮小した第２の画像表示を表示すると共に、前記操作部により画像処理動作を設定できる１の画像データを認識可能に表示することを特徴とする請求項２に記載の画像読取装置。
【請求項４】
前記表示部は、前記操作部により画像処理動作を設定できる１の画像データを、前記第２の画像表示が行われている領域とは異なる領域に表示してなり、
前記操作部は、該異なる領域において画像処理動作を設定することを特徴とする請求項３に記載の画像読取装置。
【請求項５】
前記表示部は、前記操作部により画像処理動作を設定できる１の画像データを、前記第２の画像表示が行われている領域において、当該第２の画像表示とは表示輝度または表示色を異ならせて表示していることを特徴とする請求項３に記載の画像読取装置。
【請求項６】
前記操作部が、前記画像処理動作の設定として、前記記憶部が記憶する画像データと、前記原稿載置面に載置された原稿の画像と、を直接合成する直接合成モードを選択したとき、
前記プロジェクタ部は、前記選択された画像表示を、印刷する画像サイズでかつ裏面で投影して、前記第１の画像表示を行うことを特徴とする請求項２に記載の画像読取装置。
【請求項７】
前記プロジェクタ部は、前記コンタクトガラスに投影する前記第１の画像表示の輝度を、直接合成モード以外を選択したときよりも上昇させることを特徴とする請求項６に記載の画像読取装置。
【請求項８】
前記プロジェクタ部は、前記コンタクトガラスの透過率を透明にならない範囲で高く設定することを特徴とする請求項６に記載の画像読取装置。
【請求項９】
前記操作部は、前記選択された画像における前記原稿載置面に載置された原稿の画像を合成する領域を設定可能であることを特徴とする請求項６に記載の画像読取装置。
【請求項１０】
前記画像処理動作は、画像を縮小する縮小モードと、画像を拡大する拡大モードと、画像を回転させる回転モードと、画像を表示面方向に移動させる移動モードと、画像の一部を切り取る切り取りモードの少なくとも１つのモードをさらに有し、
前記選択された画像の１つまたは２以上の画像に対してこれらのモードを実行することを特徴とする請求項２〜９のいずれか１項に記載の画像読取装置。
【請求項１１】
前記表示部はタッチパネル機能を有し、前記操作部の機能の一部または全部を備えることを特徴とする請求項１〜１０のいずれか１項に記載の画像読取装置。
【請求項１２】
前記表示部は、画像情報の表示に加えて、該画像情報への画像処理動作に関するユーザインターフェース情報を表示することを特徴とする請求項１〜１１のいずれか１項に記載の画像読取装置。
【請求項１３】
前記選択画像を表示するときに、画像データに基づく表示に加えて格子状のグリッド表示を前記第１の画像表示及び第２の画像表示領域全体に付加して表示するグリッド表示手段をさらに有することを特徴とする請求項１〜１２のいずれか１項に記載の画像読取装置。
【請求項１４】
請求項１〜１３のいずれか１項に記載の画像読取装置を備えることを特徴とする画像形成装置。
【請求項１５】
コンタクトガラスに載置された原稿の画像を読み取り、読み取った画像を設定された用紙サイズあるいは印刷倍率に応じた印刷データとして出力する画像読取方法であって、
電圧の印加状態によって透過率が変化する調光ガラス部を有し一面が原稿を載置する原稿載置面であるコンタクトガラスに載置された原稿の画像を読み取り、記憶部に読み取った原稿の画像データを出力するスキャナ工程と、
前記コンタクトガラスの原稿載置面の反対面側から該コンタクトガラスに対して画像情報を投影するプロジェクタ工程と、
画像情報を表示する表示工程と、
前記スキャナ高低の読み取り実行および前記記憶部が記憶する画像データに対する画像処理動作を設定する操作工程と、
前記調光ガラス部に印加する電圧を制御する制御工程と、を備え、
前記プロジェクタ工程は、前記記憶部が記憶する画像データに基づいて、サムネイル表示を、または画像処理、印刷する画像として選択された画像表示を投影して、前記第１の画像表示を行い、
前記表示工程は、前記第１の画像表示を縮小した第２の画像表示を表示し、
前記スキャナ工程中では、前記制御工程は、前記コンタクトガラスの透過率が高くなるように制御すると共に、前記プロジェクタ工程は、前記コンタクトガラスへの画像情報の投影を停止し、
前記スキャナ工程外では、前記制御工程は、前記コンタクトガラスの透過率が低くなるように制御すると共に、前記プロジェクタ工程は、画像情報として前記記憶部が記憶する画像データを前記コンタクトガラスに投影し第１の画像表示を行い、
前記操作工程の前記記憶部が記憶する画像データに対する画像処理動作の設定は、前記第１の画像表示及び前記第２の画像表示に連動してなることを特徴とする画像読取方法。
【請求項１６】
前記画像処理動作は、複数の画像を合成する合成画像処理であり、
前記選択された画像を表示するときに、画像データに基づく表示に加えて印刷エリアを示す領域表示を、前記第１の画像表示及び第２の画像表示に付加して表示する印刷領域表示工程を備えることを特徴とする請求項１５に記載の画像読取方法。
【請求項１７】
前記操作工程が、前記画像処理動作の設定として、前記記憶部が記憶する画像データを合成するメモリ合成モードを選択し、
且つ、前記プロジェクタ工程が、前記記憶部が記憶する画像データに基づいてサムネイル表示を投影して、前記第１の画像表示を行っているとき、
前記操作工程が、当該サムネイル表示されている画像データから２以上の画像データを選択した場合、
前記プロジェクタ工程は、当該選択された２以上の画像データを投影して第１の画像表示を更新し、
前記表示工程は、当該更新された第１の画像表示を縮小した第２の画像表示を表示すると共に、前記操作工程により画像処理動作を設定できる１の画像データを認識可能に表示することを特徴とする請求項１６に記載の画像読取方法。
【請求項１８】
前記操作工程が、前記画像処理動作の設定として、前記記憶部が記憶する画像データと、前記原稿載置面に載置された原稿の画像と、を直接合成する直接合成モードを選択したとき、
前記プロジェクタ工程は、前記選択された画像表示を、印刷する画像サイズでかつ裏面で投影して、前記第１の画像表示を行うことを特徴とする請求項１６に記載の画像読取方法。
【請求項１９】
請求項１５〜１８のいずれか１項に記載の画像読取方法を備えることを特徴とする画像形成方法。
【発明の詳細な説明】
【技術分野】
【０００１】
本発明は、複写機やスキャナなどの画像読取装置及び該画像読取装置を搭載した画像形成装置に関するものである。
【背景技術】
【０００２】
複写機などの画像形成装置では、原稿の画像を読み取り、読み取った画像の印刷を行うため、原稿の画像を読み取り、接続された他の機器に読取データを出力する画像読取装置を備えている。
【０００３】
この画像読取装置では、読み取った原稿のサイズを拡大または縮小する変倍機能があり、この変倍機能には、自動変倍機能と手動変倍機能とがある。
自動変倍機能では、原稿から読み取った画像を所定の記録用紙のサイズに変倍して印刷するものであり、操作部において所望の記録用紙のサイズが入力され、原稿台に載置された原稿のサイズの情報を得ることで、自動的に印刷倍率を算出して印刷が行われる。
また、手動変倍機能では、使用者が所望の記録用紙サイズおよび印刷倍率を手動で操作部に入力し、この入力結果に基づいて印刷が行われる。
【０００４】
ここで手動変倍機能時では、入力された記録用紙サイズと印刷倍率とによって、記録用紙上に印刷することができる原稿の画像サイズが定まり、これに伴って、原稿台上の原稿載置領域において、記録用紙に印刷される範囲である印刷可能領域が定まる。換言すると、この印刷可能領域外の原稿の画像は記録用紙上に印刷されない。
したがって、手動変倍機能時では、記録用紙上に印刷すべき原稿画像が印刷可能領域内に位置するように、原稿を原稿台上に載置する必要があった。
【０００５】
そこで特許文献１では、印刷可能領域を使用者（ユーザ）が認識できる機能を備えた画像読取装置が提案されている。
しかしながら、特許文献１に記載の画像読取装置では、印刷可能領域を表示する光源として原稿台の枠に沿って配置したＬＥＤ（発光ダイオード）を利用し、単に主走査方向および副走査方向の位置のみを発光させて表示するにとどまっている。このため、印刷可能領域全体を認識することが困難であった。またスキャナ条件などの情報を表示させることはできなかった。
【発明の概要】
【発明が解決しようとする課題】
【０００６】
本発明は、以上の従来技術における問題に鑑みてなされたものであり、原稿の位置ズレを防止でき、画像読取ミスを軽減できる画像読取装置及び該画像読取装置を用いた画像形成装置、並びに画像読取方法及び該画像読み取り方法を用いた画像形成方法を提供することを目的とする。
【課題を解決するための手段】
【０００７】
しかして、上記課題を解決するために本発明に係る画像読取装置及び該画像読取装置を用いた画像形成装置、並びに画像読取方法及び該画像読み取り方法を用いた画像形成方法は、具体的には下記（１）〜（１９）に記載の技術的特徴を有する。
（１）：コンタクトガラスに載置された原稿の画像を読み取り、読み取った画像を設定された用紙サイズあるいは印刷倍率に応じた印刷データとして出力する画像読取装置であって、電圧の印加状態によって透過率が変化する調光ガラス部を有し、一面が原稿を載置する原稿載置面であるコンタクトガラスと、前記コンタクトガラスに載置された原稿の画像を読み取り、記憶部に読み取った原稿の画像データを出力するスキャナ部と、前記コンタクトガラスの原稿載置面の反対面側から該コンタクトガラスに対して画像情報を投影するプロジェクタ部と、画像情報を表示する表示部と、前記スキャナ部の読み取り実行および前記記憶部が記憶する画像データに対する画像処理動作を設定する操作部と、前記調光ガラス部に印加する電圧を制御する制御部と、を備え、前記プロジェクタ部は、前記記憶部が記憶する画像データに基づいて、サムネイル表示を、または画像処理、印刷する画像として選択された画像表示を投影して、前記第１の画像表示を行い、前記表示部は、前記第１の画像表示を縮小した第２の画像表示を表示し、前記スキャナ部動作時では、前記制御部は、前記コンタクトガラスの透過率が高くなるように制御すると共に、前記プロジェクタ部は、前記コンタクトガラスへの画像情報の投影を停止し、前記スキャナ部非動作時では、前記制御部は、前記コンタクトガラスの透過率が低くなるように制御すると共に、前記プロジェクタ部は、画像情報として前記記憶部が記憶する画像データを前記コンタクトガラスに投影し第１の画像表示を行い、前記操作部の前記記憶部が記憶する画像データに対する画像処理動作の設定は、前記第１の画像表示及び前記第２の画像表示に連動してなることを特徴とする画像読取装置である。
【０００８】
（２）：前記画像処理動作は、複数の画像を合成する合成画像処理であり、前記選択された画像を表示するときに、画像データに基づく表示に加えて印刷エリアを示す領域表示を、前記第１の画像表示及び第２の画像表示に付加して表示する印刷領域表示手段を備えることを特徴とする上記１に記載の画像読取装置である。
【０００９】
（３）：前記操作部が、前記画像処理動作の設定として、前記記憶部が記憶する画像データを合成するメモリ合成モードを選択し、且つ、前記プロジェクタ部が、前記記憶部が記憶する画像データに基づいてサムネイル表示を投影して、前記第１の画像表示を行っているとき、前記操作部が、当該サムネイル表示されている画像データから２以上の画像データを選択した場合、前記プロジェクタ部は、当該選択された２以上の画像データを投影して第１の画像表示を更新し、前記表示部は、当該更新された第１の画像表示を縮小した第２の画像表示を表示すると共に、前記操作部により画像処理動作を設定できる１の画像データを認識可能に表示することを特徴とする上記２に記載の画像読取装置である。
【００１０】
（４）：前記表示部は、前記操作部により画像処理動作を設定できる１の画像データを、前記第２の画像表示が行われている領域とは異なる領域に表示してなり、前記操作部は、該異なる領域において画像処理動作を設定することを特徴とする上記３に記載の画像読取装置である。
【００１１】
（５）：前記表示部は、前記操作部により画像処理動作を設定できる１の画像データを、前記第２の画像表示が行われている領域において、当該第２の画像表示とは表示輝度または表示色を異ならせて表示していることを特徴とする上記３に記載の画像読取装置である。
【００１２】
（６）：前記操作部が、前記画像処理動作の設定として、前記記憶部が記憶する画像データと、前記原稿載置面に載置された原稿の画像と、を直接合成する直接合成モードを選択したとき、前記プロジェクタ部は、前記選択された画像表示を、印刷する画像サイズでかつ裏面で投影して、前記第１の画像表示を行うことを特徴とする上記２に記載の画像読取装置である。
【００１３】
（７）：前記プロジェクタ部は、前記コンタクトガラスに投影する前記第１の画像表示の輝度を、直接合成モード以外を選択したときよりも上昇させることを特徴とする上記６に記載の画像読取装置である。
【００１４】
（８）：前記プロジェクタ部は、前記コンタクトガラスの透過率を透明にならない範囲で高く設定することを特徴とする上記６に記載の画像読取装置である。
【００１５】
（９）：前記操作部は、前記選択された画像における前記原稿載置面に載置された原稿の画像を合成する領域を設定可能であることを特徴とする上記６に記載の画像読取装置である。
【００１６】
（１０）：前記画像処理動作は、画像を縮小する縮小モードと、画像を拡大する拡大モードと、画像を回転させる回転モードと、画像を表示面方向に移動させる移動モードと、画像の一部を切り取る切り取りモードの少なくとも１つのモードをさらに有し、前記選択された画像の１つまたは２以上の画像に対してこれらのモードを実行することを特徴とする上記２〜９のいずれか１項に記載の画像読取装置である。
【００１７】
（１１）：前記表示部はタッチパネル機能を有し、前記操作部の機能の一部または全部を備えることを特徴とする上記１〜１０のいずれか１項に記載の画像読取装置である。
【００１８】
（１２）：前記表示部は、画像情報の表示に加えて、該画像情報への画像処理動作に関するユーザインターフェース情報を表示することを特徴とする上記１〜１１のいずれか１項に記載の画像読取装置である。
【００１９】
（１３）：前記選択画像を表示するときに、画像データに基づく表示に加えて格子状のグリッド表示を前記第１の画像表示及び第２の画像表示領域全体に付加して表示するグリッド表示手段をさらに有することを特徴とする上記１〜１２のいずれか１項に記載の画像読取装置である。
【００２０】
（１４）：上記１〜１３のいずれか１項に記載の画像読取装置を備えることを特徴とする画像形成装置である。
【００２１】
（１５）：コンタクトガラスに載置された原稿の画像を読み取り、読み取った画像を設定された用紙サイズあるいは印刷倍率に応じた印刷データとして出力する画像読取方法であって、電圧の印加状態によって透過率が変化する調光ガラス部を有し一面が原稿を載置する原稿載置面であるコンタクトガラスに載置された原稿の画像を読み取り、記憶部に読み取った原稿の画像データを出力するスキャナ工程と、前記コンタクトガラスの原稿載置面の反対面側から該コンタクトガラスに対して画像情報を投影するプロジェクタ工程と、画像情報を表示する表示工程と、前記スキャナ高低の読み取り実行および前記記憶部が記憶する画像データに対する画像処理動作を設定する操作工程と、前記調光ガラス部に印加する電圧を制御する制御工程と、を備え、前記プロジェクタ工程は、前記記憶部が記憶する画像データに基づいて、サムネイル表示を、または画像処理、印刷する画像として選択された画像表示を投影して、前記第１の画像表示を行い、前記表示工程は、前記第１の画像表示を縮小した第２の画像表示を表示し、前記スキャナ工程中では、前記制御工程は、前記コンタクトガラスの透過率が高くなるように制御すると共に、前記プロジェクタ工程は、前記コンタクトガラスへの画像情報の投影を停止し、前記スキャナ工程外では、前記制御工程は、前記コンタクトガラスの透過率が低くなるように制御すると共に、前記プロジェクタ工程は、画像情報として前記記憶部が記憶する画像データを前記コンタクトガラスに投影し第１の画像表示を行い、前記操作工程の前記記憶部が記憶する画像データに対する画像処理動作の設定は、前記第１の画像表示及び前記第２の画像表示に連動してなることを特徴とする画像読取方法である。
【００２２】
（１６）：前記画像処理動作は、複数の画像を合成する合成画像処理であり、前記選択された画像を表示するときに、画像データに基づく表示に加えて印刷エリアを示す領域表示を、前記第１の画像表示及び第２の画像表示に付加して表示する印刷領域表示工程を備えることを特徴とする上記１５に記載の画像読取方法である。
【００２３】
（１７）：前記操作工程が、前記画像処理動作の設定として、前記記憶部が記憶する画像データを合成するメモリ合成モードを選択し、且つ、前記プロジェクタ工程が、前記記憶部が記憶する画像データに基づいてサムネイル表示を投影して、前記第１の画像表示を行っているとき、前記操作工程が、当該サムネイル表示されている画像データから２以上の画像データを選択した場合、前記プロジェクタ工程は、当該選択された２以上の画像データを投影して第１の画像表示を更新し、前記表示工程は、当該更新された第１の画像表示を縮小した第２の画像表示を表示すると共に、前記操作工程により画像処理動作を設定できる１の画像データを認識可能に表示することを特徴とする上記１６に記載の画像読取方法である。
【００２４】
（１８）：前記操作工程が、前記画像処理動作の設定として、前記記憶部が記憶する画像データと、前記原稿載置面に載置された原稿の画像と、を直接合成する直接合成モードを選択したとき、前記プロジェクタ工程は、前記選択された画像表示を、印刷する画像サイズでかつ裏面で投影して、前記第１の画像表示を行うことを特徴とする上記１６に記載の画像読取方法である。
【００２５】
（１９）：上記１５〜１８のいずれか１項に記載の画像読取方法を備えることを特徴とする画像形成方法である。
【発明の効果】
【００２６】
本発明によれば、原稿の位置ズレを防止でき、画像読取ミスを軽減できる画像読取装置及び該画像読取装置を用いた画像形成装置、並びに画像読取方法及び該画像読み取り方法を用いた画像形成方法を提供することができる。
【図面の簡単な説明】
【００２７】
【図１】本発明に係る画像形成装置の構成例を示す外観斜視図である。
【図２】本発明に係る画像形成装置の構成例を示す外観上面図である。
【図３】画像形成装置１００に備えられた画像読取装置２の構成を示す透過斜視図である。
【図４】本発明で用いるコンタクトガラスの構成を示す概略図である。
【図５】液晶シートの動作原理の説明図である。
【図６】本発明で用いるコンタクトガラスにおける印加電圧と平行光線透過率の関係を示す図である。
【図７】プロジェクタ部の構成を示す概略図である。
【図８】プロジェクタ部からのコンタクトガラス上の投影像の不具合例を示す図である。
【図９】プロジェクタ部の液晶パネルにおける表示例を示す図である。
【図１０】本発明に係る画像読取装置の構成を示す断面図である。
【図１１】本発明の画像形成装置の制御ブロック図である。
【図１２】本発明に係る画像形成装置における画像読取装置の制御手順（１）を示すフローチャートである。
【図１３】本発明の画像読取装置におけるスキャナ表示モード時（スキャナ部非動作時）の原稿台表示例を示す図である。
【図１４】本発明に係る画像形成装置における画像読取装置の制御手順（１）を示すフローチャートである。
【図１５】本発明に係る画像読取装置におけるコンタクトガラス７のプレビュー表示機能の一態様、及び、表示部１７のプレビュー表示機能の一態様を説明するための図である。
【図１６】本発明に係る画像読取装置においてプレビュー表示された素材画像の合成処理の一態様を説明するための図である。
【図１７】本発明に係る画像読取装置におけるコンタクトガラス７に既にスキャンされた画像と追加原稿との合成処理の一態様を説明するための図である。
【図１８】本発明に係る画像読取装置におけるコンタクトガラス７に表示されたプレビュー画像の画像処理（切り取り処理）の一態様を説明するための図である。
【図１９】本発明に係る画像読取装置におけるコンタクトガラス７に表示されたプレビュー画像の画像処理（回転処理）の一態様を説明するための図である。
【発明を実施するための形態】
【００２８】
本発明に係る画像読取装置は、コンタクトガラスに載置された原稿の画像を読み取り、読み取った画像を設定された用紙サイズあるいは印刷倍率に応じた印刷データとして出力し、電圧の印加状態によって透過率が変化する調光ガラス部を有し、一面が原稿を載置する原稿載置面であるコンタクトガラスと、前記コンタクトガラスに載置された原稿の画像を読み取り、記憶部に読み取った原稿の画像データを出力するスキャナ部と、前記コンタクトガラスの原稿載置面の反対面側から該コンタクトガラスに対して画像情報を投影するプロジェクタ部と、画像情報を表示する表示部と、前記スキャナ部の読み取り実行および前記記憶部が記憶する画像データに対する画像処理動作を設定する操作部と、前記調光ガラス部に印加する電圧を制御する制御部と、を備え、前記プロジェクタ部は、前記記憶部が記憶する画像データに基づいて、サムネイル表示を、または画像処理、印刷する画像として選択された画像表示を投影して、前記第１の画像表示を行い、前記表示部は、前記第１の画像表示を縮小した第２の画像表示を表示し、前記スキャナ部動作時では、前記制御部は、前記コンタクトガラスの透過率が高くなるように制御すると共に、前記プロジェクタ部は、前記コンタクトガラスへの画像情報の投影を停止し、前記スキャナ部非動作時では、前記制御部は、前記コンタクトガラスの透過率が低くなるように制御すると共に、前記プロジェクタ部は、画像情報として前記記憶部が記憶する画像データを前記コンタクトガラスに投影し第１の画像表示を行い、前記操作部の前記記憶部が記憶する画像データに対する画像処理動作の設定は、前記第１の画像表示及び前記第２の画像表示に連動してなることを特徴とする。
また本発明に係る画像形成装置は、上記本発明に係る画像読取装置を備えることを特徴とする。
次に、本発明に係る画像読取装置及び画像形成装置についてさらに詳細に説明する。
尚、以下に述べる実施の形態は、本発明の好適な実施の形態であるから技術的に好ましい種々の限定が付されているが、本発明の範囲は以下の説明において本発明を限定する旨の記載がない限り、これらの態様に限られるものではない。
【００２９】
図１は、本発明に係る画像形成装置の構成例を示す外観斜視図である。図１（ａ）は、画像形成装置の全体の構成を示す図であり、図１（ｂ）は自動原稿送り装置（ＡＤＦ）を開いた状態の本発明の原稿読取装置周辺の構成を示す図であり、図１（ｃ）は図１（ｂ）において原稿台用調光ガラスに原稿サイズの情報を表示した状態を示す図である。
【００３０】
図１（ａ）に示すように、画像形成装置１００は、セットされた読取対象の原稿を画像読取装置２に送る自動原稿送り装置（ＡＤＦ；Ａｕｔｏ  Ｄｏｃｕｍｅｎｔ  Ｆｅｅｄｅｒ）１と、本発明の画像読取装置であって、ＡＤＦ１から送られてきた原稿またはコンタクトガラス（原稿台としての調光ガラス）７上にセットされた原稿を画像として読み取り、読み取った画像を設定された用紙サイズあるいは印刷倍率に応じた印刷データとして出力する画像読取装置（スキャナ部）２と、前記印刷データに基づいて所定サイズのシート上に画像を形成する画像形成部（プリンタ装置）５と、画像形成用の記録媒体であるシートを収納し、画像形成部５にシートを供給する用紙トレイ６と、を備える。
ここで、画像形成部５は、電子写真方式やインクジェット記録方式など従来公知の画像形成を行うプリンタ装置であればよい。また、画像形成装置１００の正面には、ユーザが画像形成装置１００を操作するための操作パネル３、画像形成されたシートが排出される排紙トレイ４が設けられている。
【００３１】
ここで、ＡＤＦ１は、画像読取装置２の原稿読み取り部分（コンタクトガラス７）を覆うように該画像読取装置２上に搭載され、画像形成装置１００背面側の端部が蝶番で画像読取装置２に回動可能に固定されている。また、ＡＤＦ１の底面はコンタクトガラス７を覆うスキャナカバー２５となっており、ユーザがＡＤＦ１の装置正面側の端部を持ち上げることにより前記蝶番を中心にして回転し、コンタクトガラス７が露出するようにスキャナカバー２５が開くようになっている。
【００３２】
図１（ｂ）では、スキャナカバー２５を開いてコンタクトガラス７が露出した状態となっている。この状態で、例えば冊子状の原稿をコンタクトガラス７上にセットし、再びスキャナカバー２５を閉じて画像読取装置２により原稿の画像を読み取る操作を行う。
【００３３】
図１（ｃ）では、スキャナカバー２５が開いてコンタクトガラス７が露出した状態となっていて、さらにこの状態でプロジェクタ部１５から投影された所定の画像情報等が表示されている状態を示している。
【００３４】
図２は、本発明に係る画像形成装置の構成例を示す外観上面図である。図２に示すが如く、操作パネル３（表示部１７及び入力部１８を備える）は、ユーザが向かい合い操作する手前位置（図２における下側）に配置されてなり、奥の位置（図２における上側）にはコンタクトガラス７が配置されてなる。なお、図２に示す例ではＡＤＦが開いてコンタクトガラス７が露出した状態となっていて、さらにこの状態でプロジェクタ部１５から投影された所定の画像情報等が表示されている状態を示している。
【００３５】
次に、本発明に係る画像読取装置について説明する。
図３は、画像形成装置１００に備えられた画像読取装置２の構成を示す透過斜視図である。画像読取装置２の部分を実線で示している。
画像読取装置２は、電圧の印加状態によって透過率が変化する調光ガラス（調光ガラス部）を有し、その上面が原稿を載置する原稿載置面として機能するコンタクトガラス７と、コンタクトガラス７に載置された原稿の画像を読み取るスキャナ部と、コンタクトガラス７に対して開閉可能に覆いとなると共に画像読み取りの際には原稿の背景としてスキャナ反射板となるスキャナカバー２５と、スキャナカバー２５の開閉状態を検知する検知手段（不図示）と、コンタクトガラス７の原稿載置面の反対面側から該コンタクトガラス７に対して特定のパターンおよび／または文字情報を（画像情報を）投影するプロジェクタ部１５と、を有する。
【００３６】
ここで、前記スキャナ部は、原稿の幅方向に延びるライン状の光線を原稿に出射しながら、原稿の長手方向（副走査方向）に走査（スキャン）されるスキャナ用光源ユニット１１と、原稿の反射光を集光するレンズ１２と、レンズ１２で集光された光を検知して信号を出力するスキャナセンサ１３と、スキャナセンサ１３からの信号を受けるスキャナ制御部（不図示）と、から構成されている。なお、スキャナ制御部には、スキャナセンサ１３により読み取られた画像を設定された用紙サイズあるいは印刷倍率に応じた印刷データとして出力する画像処理部が接続されている。
【００３７】
コンタクトガラス７は、スキャナ制御部により制御される電圧の印加状態によって透過率が変化する調光ガラスを有するものである。図４に、コンタクトガラス７の構成を示す。図４（ａ）はコンタクトガラス７全体の構成図であり、図４（ｂ）はコンタクトガラス７を構成する液晶シート１３７ａの構成図である。
【００３８】
図４（ａ）に示すように、コンタクトガラス７は、液晶シート１３７ａの両主面それぞれを、中間膜１３７ｂを介して透明な板ガラス１３７ｃで挟んだものである。なお、中間膜１３７ｂは省略してもよい。
【００３９】
液晶シート１３７ａは、図４（ｂ）に示すように、液晶分子１０１ａを封入した微小なカプセル１０１ｃを樹脂１０１ｂ中に分散させて厚さ２０μｍ程度の層状とした液晶層１０１と、液晶層１０１の両面に設けられて電圧印加の電極となる透明導電膜１０２と、さらに透明導電膜１０２の外側から挟んで液晶層１０１を支持する透明なポリエチレンテレフタレート（ＰＥＴ）からなる２枚の樹脂フィルム１０３と、から構成されている。
【００４０】
この液晶シート１３７ａにおいて、２つの透明導電膜１０２間に前記スキャナ制御部から電圧が印加可能であり、この電圧印加状態によって液晶シート１３７ａの透過率が変化し、コンタクトガラス７の透過状態が調整されるようになっている。その様子を図５に示す。
【００４１】
先ず、２つの透明導電膜１０２間に電圧が印加されていないとき（ＯＦＦ時、図５（ａ））、カプセル１０１ｃ中の液晶分子１０１ａの配列は不規則な状態となっていて、液晶層１０１に平行光が入射してくると不規則な配列の液晶分子１０１ａに曲げられるようになる。その結果、入射光は直進できずに散乱されて液晶層１０１を透過するため、液晶層１０１の出射側からは不透明な状態に見えることになる。
【００４２】
次に、２つの透明導電膜１０２間に電圧が印加されているとき（ＯＮ時、図５（ｂ））、カプセル１０１ｃ中の液晶分子１０１ａの配列は規則正しく整列した状態となっていて、液晶層１０１に平行光が入射してくると、液晶分子１０１ａに曲げられることなく直進するようになる。その結果、入射光は直進して液晶層１０１を透過するため、液晶層１０１の出射側からは透明な状態に見えることになる。なお、このようにコンタクトガラス７を透明にするには電力が必要であるため、画像読取装置２における画像読取時（スキャナ部動作時）や原稿サイズ検知時にのみ、電圧を印加するとよい。これにより、消費電力を抑制することができる。
【００４３】
図６に、液晶シート１３７ａにおける印加電圧と平行光線透過率の関係を示す。
図６に見られるように、０Ｖで透過率が最も低く、８０Ｖ超で透過率が最も高くなっている。また、液晶シート１３７ａには印加電圧によって中間の透過率が存在している。さらに、印加電圧０〜１００Ｖ間において透過率は一定の割合で変化するのではなく、１０Ｖを超えたあたりから６０Ｖまでの間で透過率が大きく変化している。
【００４４】
以上の構成のコンタクトガラス７に好適なものとしては、例えば、日本板硝子ウムプロダクツ（株）製の瞬間調光ガラス「ウム」が挙げられる。この瞬間調光ガラス「ウム」の製品仕様としては、電源ＡＣ１００Ｖ（５０／６０Ｈｚ）、消費電力３．５Ｗ／ｍ２（ＯＮ（透視）時）、応答速度（ＯＦＦ（不透視）→ＯＮ（透視））約１／１０００秒、応答速度（ＯＮ（透視）→ＯＦＦ（不透視））約１／１００秒、平行光線透過率（透視時）７２％、平行光線透過率（不透視時）８％である。
【００４５】
プロジェクタ部１５は、画像読取装置２の底面に配置され、コンタクトガラス７の原稿載置面（スキャナカバー２５との当接面）の反対面側に対して特定のパターンおよび／または文字情報を（画像情報を）投影する原稿台表示用の液晶プロジェクタである。
【００４６】
図７にプロジェクタ部の構成例を示す。
プロジェクタ部１５は、下から可視光を投影する光源１３５ａと、光源１３５ａの光が経由する投影レンズ１３５ｂと、特定のパターンおよび／または文字情報を表示するための透過式の液晶シャッターである液晶パネル１３５ｃと、からなる。コンタクトガラス７に画像情報等を表示する際には、スキャナ制御部から表示データ（後述する記憶部２２が記憶する画像データを含む。）が送られ、液晶パネル１３５ｃに該表示データを表示させた状態で光源１３５ａが発光し、コンタクトガラス７に液晶パネル１３５ｃの表示データを投影するようになっている。
【００４７】
なお、プロジェクタ部１５を画像読取装置２の底面中央に配置した状態で、コンタクトガラス７のコーナー部分に原稿をおくべき領域を表示しようとした場合には、液晶パネル１３５ｃに表示された形状のものはコンタクトガラス７上では歪んだ形で表示されるようになる。
【００４８】
その表示例を、図８（ａ）に示す。ここでは、液晶パネル１３５ｃにＢ５サイズ縦に相当する長方形をそのまま表示し、光源１３５ａから液晶パネル１３５ｃを透過した光束をコンタクトガラス７に投影させてコンタクトガラス７の左上隅側に表示した場合に、コンタクトガラス７上の投影像を画像形成装置の正面から見た図を示す。このように、コンタクトガラス７上では光源１３５ａから遠くなるほど広がった形状となって意図した図形が表示されず、原稿を適切に置くことが困難になる。また、文字表示の場合も同様である。
【００４９】
また、図８（ｂ）は、液晶パネル１３５ｃにＢ５サイズ縦に相当する長方形を濃度一定の領域として表示し、光源１３５ａから液晶パネル１３５ｃを透過した光束をコンタクトガラス７に投影させてコンタクトガラス７の左上隅側に表示した場合に、コンタクトガラス７上の投影像を画像形成装置の正面から見た図である。図８（ｂ）に示すように、光源１３５ａと投影レンズ１３５ｂの特性や、光源１３５ａとコンタクトガラス７の距離によって、コンタクトガラス７上において照度が低下あるいはムラが発生するようになる。より具体的には、図８（ｂ）に示すように、コンタクトガラス７の端部では中央部に比較して投影レンズ１３５ｂにより拡大して表示されているため、光束も拡散することで照度が低下し（単位面積あたりの光束密度が低下し）、投影像において照度ムラとなる。
【００５０】
そこで、これらの不具合を改善すべく、プロジェクタ部１５側で修正を行うとよい。
まず、図８（ａ）の形状の歪みに対しては、プロジェクタ部１５は、該プロジェクタ部１５からコンタクトガラス７への照射角度に応じて、該コンタクトガラス７での表示形状が正しくなるように液晶パネル１３５ｃの表示情報を補正して投影することが好ましい。図９（ａ）にＢ５サイズ縦を正しく表示するための液晶パネル１３５ｃにおける表示例を示す。これを用いて投影するとコンタクトガラス７上に正しい形状のＢ５サイズ縦の投影像を表示することができる。
【００５１】
また、図８（ｂ）の形状の歪み及び照度ムラに対しては、図９（ａ）の形状の補正とともに、コンタクトガラス７における照射面での照度が均一となるように、プロジェクタ部１５は、該プロジェクタ部１５からコンタクトガラス７への照射角度に応じて、該コンタクトガラス７での表示濃度が均一となるように液晶パネル１３５ｃの表示情報の濃度を補正して投影することが好ましい。図９（ｂ）にＢ５サイズ縦を正しく表示するための液晶パネル１３５ｃにおける表示例を示す。これを用いて投影するとコンタクトガラス７上に正しい形状で均一な明るさのＢ５サイズ縦の投影像を表示することができる。
【００５２】
図１０に、本発明に係る画像読取装置の内部構成を示す。図１０（ａ）は、画像読み取り時の状態（スキャナ読取モード；スキャナ部動作時）を示し、図１０（ｂ）は、コンタクトガラス７上に原稿台が表示されている時の状態（スキャナ表示モード；スキャナ部非動作時）を示している。
【００５３】
先ず、図１０（ａ）では、コンタクトガラス７上に原稿８が置かれた上でスキャナカバー２５が閉じられていて、この状態で通常の画像読み取りが行われる。すなわち、図１０（ａ）の状態で、不図示の検知手段がスキャナカバー２５の閉状態を検知し、スキャナ制御部１４は、電圧を印加してコンタクトガラス７の透過率を高くして、プロジェクタ部１５から該コンタクトガラス７への画像情報の投影を停止している。なお、プロジェクタ部１５からの画像情報の投影を停止しているとは、スキャナ部２の読み取り対象となる領域（その反射光をスキャナセンサ１３が受光するコンタクトレンズ７の領域）に画像情報が投影されていない状態をも含むものとしてもよい。即ち、スキャナ部２自体がプロジェクタ部１５からの投影を遮るような構成となり、原稿８の読み取りにおいて何ら支障を来たさないような場合は、プロジェクタ１５が何らかの画像情報を投影しているような状態でも、本発明においては実質的に画像情報の投影を停止しているものとして扱うことができる。ここで、省電力の観点からは使用に際して必要のない画像情報の投影は行わないことが好ましいことは言うまでもなく、必要なときに必要な領域に画像情報を投影することが望ましい。
【００５４】
そして、スキャナスタート操作などにより、原稿の読み取りが開始される。ここでは、内部にスキャナ用ミラー９，スキャナ用光源１０を有するスキャナ用光源ユニット１１が副走査方向に走査される。このとき、スキャナ用光源１０から読み取り用の光が出射されており、該光は透明で光を通す状態であるコンタクトガラス７を透過して原稿８またはスキャナカバー２５で反射される。ついでこの反射光が再びコンタクトガラス７を透過し、スキャナ用ミラー９を経由してレンズ１２を通ってスキャナセンサ１３に到達する。スキャナセンサ１３では受けた光を電気信号に変換してデータ化し、スキャナ制御部１４に画像データとして送信する。次いで、スキャナ制御部１４から読み取られた画像データを画像処理部に送り、設定された用紙サイズあるいは印刷倍率に応じた印刷データとした上で記憶部２２に（あるいはさらに画像形成部５に）出力する。
【００５５】
次に、図１０（ｂ）では、スキャナカバー２５が開けられてコンタクトガラス７が露出していて、原稿８が置かれる状態であり、この状態でコンタクトガラス７に特定のパターンおよび／または文字情報が表示される原稿台表示が行われる。すなわち、図１０（ｂ）の状態で、不図示の検知手段がスキャナカバー２５の開状態を検知し、スキャナ制御部１４は、電圧印加を停止あるいは印加する電圧を低下させてコンタクトガラス７の透過率を低くして、コンタクトガラス７を曇りガラス状態や黒くなった状態とする。そして、スキャナ制御部１４からプロジェクタ部１５に表示データを送り、プロジェクタ部１５において送られた表示データを液晶パネル１３５ｃに表示させた状態で光源１３５ａを発光させて、設定された用紙サイズを、あるいは印刷倍率に応じて読み取られる原稿の領域を、原稿台としてコンタクトガラス７にユーザに視認可能に投影する。ユーザは表示された原稿台を見ながら該原稿台に合わせて原稿をコンタクトガラス７上に置くことができる。なお、このときスキャナ光源ユニット１１は、図１０（ａ）の位置から画像読取装置２の下方向に移動して、プロジェクタ部１５の投射光の光路を空けている。
【００５６】
次に、本発明に係る画像形成装置における画像読取装置の制御について説明する。
図１１は、本発明の画像形成装置の制御ブロック図である。ここでは、画像読取装置２に関する制御ブロックを示している。
画像形成装置における制御ブロックは、操作パネル３、画像読取装置２、画像形成装置全体の制御を行う本体制御部２１、本体制御部２１における種々のデータを記憶する記憶部２２に大別される。なお、本実施の形態において記憶部２２は画像読取装置２外部に備え付けられた構成であるが、画像読取装置２内部に備え付けた構成であってもよい。
【００５７】
操作パネル３は、ユーザに認知させたり、データを表示させたりするための液晶ディスプレイ（ＬＣＤ）や発光ダイオード（ＬＥＤ）表示部などからなる表示部１７と、ユーザからの入力が可能なタッチパネル入力やハードキー等の入力部（操作部）１８と、表示部１７及び入力部１８を制御し、本体制御部２１と通信を行う操作パネル制御部１９と、で構成される。
【００５８】
画像読取装置２は、コンタクトガラス７と、原稿台表示用光源であるプロジェクタ部１５と、スキャナセンサ１３と、スキャナ用光源ユニット１１と、スキャナカバーの開閉状態を検知するスキャナカバーオープンセンサ（検知手段）１６と、コンタクトガラス７に置かれた原稿のサイズを検知する原稿サイズ検知センサ２０と、これらを制御し、本体制御部２１と通信を行うスキャナ制御部１４と、で構成される。
【００５９】
＜画像読取装置の原稿読み取り時の制御手順：第１の実施の形態＞
図１２は、本発明に係る画像形成装置における画像読取装置の制御手順（１）を示すフローチャートである。ここでは、ユーザが最初に操作パネル３でスキャナ条件を入力した場合を示す。
【００６０】
先ずユーザが操作パネル３の入力部１８よりスキャナ条件を入力すると（Ｓ１１の入力あり）、操作パネル制御部１９はその入力情報（スキャナ条件データ）を本体制御部２１へ送信する（Ｓ１２）。
次いで、スキャナカバーオープンセンサ１６は、スキャナカバー２５が開かれているか否かを検知する（Ｓ１３）。スキャナカバー開が検知されると（Ｓ１３の開）、スキャナ制御部１４は、スキャナカバー開情報を本体制御部２１へ送信する（Ｓ１４）。
本体制御部２１は、スキャナカバー開情報を受けると、スキャナ制御部１４にスキャナ表示モード（スキャナ部非動作時である。）への切り替え指示とユーザから入力されたスキャナ条件（入力スキャナ条件）とを送信する（Ｓ１５）。
【００６１】
スキャナ制御部１４は、キャナ表示モードへの切り替え指示とスキャナ条件とを受け、スキャナ表示モード（図１０（ｂ））となる（Ｓ１６）。具体的には、スキャナ制御部１４は、電圧印加を停止あるいは印加する電圧を低下させてコンタクトガラス７の透過率を低くして、コンタクトガラス７を曇りガラス状態や黒くなった状態とし、プロジェクタ部１５に前記入力スキャナ条件に基づいた表示データを送信する。また、スキャナ用光源ユニット１１は光路上にあると表示できないので、そのまま下方向に移動する指示を出す。これにより、プロジェクタ部１５からコンタクトガラス７に投影されて、前記入力スキャナ条件に基づいた特定のパターンおよび／または文字情報が表示される原稿台表示が行われる。なお、スキャナカバー２５が開状態の時に、コンタクトガラス７へ印加する電圧および／またはプロジェクタ部１５の投影出力をユーザ（操作者）が目視可能な状態で調整可能とするとよい。
【００６２】
原稿台表示の例としては図１（ｃ）に示すものが挙げられる。図１（ｃ）は、スキャナカバー２５が開けられて、コンタクトガラス７にプロジェクタ部１５から投影された所定の情報が表示されている状態を示している。
【００６３】
プロジェクタ部１５が投影する画像情報は、パターンで表示される原稿の読み取り領域情報（画像読取装置２が読み取る原稿サイズの領域情報）に加えて、読取可能な原稿サイズ情報、原稿の縦横情報、カラーまたは白黒の設定情報から少なくとも１つの文字情報を投影することが好ましい。
【００６４】
プロジェクタ部１５が投影する情報の例を図１３（ａ），（ｂ）に示す。
図１３（ａ）は、画像読取装置２が読み取る原稿サイズの領域と文字部を投影像とした表示例である。すなわち、画像読取装置２が読み取る原稿サイズの領域に投影し、画像読取装置２が読み取る原稿サイズの領域以外の領域を光の当たらないコンタクトガラス７の透過率が低い時の地色（曇りガラスまたは黒色）の表示としている。また、画像読取装置２が読み取る原稿サイズの領域以外の領域に読取可能な原稿サイズ情報、原稿の縦横情報、カラーまたは白黒の設定情報（Ａ４／ヨコ／カラー）の文字情報を表示している。
【００６５】
図１３（ｂ）は、画像読取装置２が読み取る原稿サイズの領域をコンタクトガラス７の透過率が低い時の地色（曇りガラスまたは黒色）のままの領域とした表示例である。すなわち、画像読取装置２が読み取る原稿サイズの領域以外の領域に投影し、画像読取装置２が読み取る原稿サイズの領域を光の当たらないコンタクトガラス７の透過率が低い時の地色（曇りガラスまたは黒色）の表示としている。また、画像読取装置２が読み取る原稿サイズの領域に読取可能な原稿サイズ情報、原稿の縦横情報、カラーまたは白黒の設定情報（Ａ４／ヨコ／カラー）の文字情報を表示している。
【００６６】
図１３（ａ），（ｂ）の表示形式（プロジェクタ部１５で投影する原稿の読み取り領域の表示として、該プロジェクタ部１５での投影像とする形式、該原稿の読み取り領域をコンタクトガラス７の透過率が低い時の地色とする形式）については、ユーザがいずれの表示形式にするかを選択可能とするとよい。
【００６７】
ユーザは、コンタクトガラス７の原稿台表示に基づいて該コンタクトガラス７上に原稿の読み取らせたい部分を適切に配置することができる。また、コンタクトガラス７上には、画像読取可能エリアと共に、載置する原稿の情報やスキャナの実行モード、条件に関する情報が文字や図として投影されるので、ユーザは操作パネル３に視点を移動させることなく、正確にスキャナを使用することができる。
【００６８】
次いで、図１２において、原稿サイズ検知センサ２０により、原稿がコンタクトガラス７上に置かれたか否かを検知する（Ｓ１７）。原稿が検知されると（Ｓ１７のセットされた）、原稿サイズ検知センサ２０で確認された原稿サイズがユーザから操作パネルで入力された条件に基づくスキャナサイズと同じか否かを比較する（Ｓ１８）。同じではない場合（Ｓ１８の同じでない）は、その旨を警告表示する。例えば、操作パネル３、あるいはスキャナ表示モードとしてコンタクトガラス７に表示して警告すればよい。次に、操作パネル３におけるユーザによる了解（ＯＫ）入力があるか否かを確認する（Ｓ１ａ）。ユーザによるＯＫがではない場合（Ｓ１ａのＮｏ）は、ステップＳ１８に戻り、再度原稿サイズ比較を実施する。
ユーザによるＯＫ確認の場合（Ｓ１ａのＹｅｓ）もしくは原稿サイズがスキャナサイズと同じ場合（Ｓ１８の同じ）は、スキャナカバーオープンセンサ１６により、スキャナカバー２５の閉状態が検知されるのを待つ（Ｓ１ｂ）。
【００６９】
スキャナカバー２５が閉状態となると（Ｓ１ｂの閉）、画像読取装置２はスキャナ表示モードからスキャナ読取モード（図１０（ａ）；スキャナ部動作時）となり、原稿から画像読取ができる状態となる（Ｓ１ｃ）。すなわち、スキャナ制御部１４は、電圧印加をしてコンタクトガラス７の透過率を高くして、コンタクトガラス７を透明状態とし、スキャナ用光源ユニット１１を原稿読み取りの待機位置（画像読取装置上方向の副走査方向の始点）に移動させ、ユーザのスキャナスタート指示待ちの状態となる（Ｓ１ｄ）。
【００７０】
最後に、ユーザにより操作パネル３からスキャナスタート（スキャナ部の読み取り実行）の入力があると（Ｓ１ｄの有）、原稿読み取りを開始する（Ｓ１ｅ）。すなわち、スキャナ用光源ユニット１１が副走査方向に移動しながら原稿に光を照射し、スキャナセンサ１３によってその反射光から原稿データを取得して、スキャナ制御部１４に送信する。次いで、スキャナ制御部１４は、該原稿データを本体制御部２１に送信し、記憶部２２に記憶させるようにする。
【００７１】
＜画像読取装置の原稿読み取り時の制御手順：第２の実施の形態＞
図１４は、本発明に係る画像形成装置における画像読取装置の別の制御手順（制御手順（２））を示すフローチャートである。ここでは、ユーザがスキャナ条件を入力せずに、初期設定またはそれまでに入力済のスキャナ条件を現在のスキャナ条件として用いる場合を示す。
【００７２】
先ず、スキャナカバーオープンセンサ１６は、スキャナカバー２５が開かれているか否かを検知する（Ｓ２１）。スキャナカバー開が検知されると（Ｓ２１の開）、スキャナ制御部１４は、スキャナカバー開情報を本体制御部２１へ送信する（Ｓ２２）。
本体制御部２１は、スキャナカバー開情報を受けると、スキャナ制御部１４にスキャナ表示モードへの切り替え指示と初期設定またはそれまでに入力済のスキャナ条件（現在のスキャナ条件）とを送信する（Ｓ２３）。
【００７３】
スキャナ制御部１４は、それを受け、スキャナ表示モード（図１０（ｂ）；スキャナ部非動作時）となる（Ｓ２４）。具体的には、スキャナ制御部１４は、電圧印加を停止あるいは印加する電圧を低下させてコンタクトガラス７の透過率を低くして、コンタクトガラス７を曇りガラス状態や黒くなった状態とし、プロジェクタ部１５に前記現在のスキャナ条件に基づいた表示データを送信する。また、スキャナ用光源ユニット１１は光路上にあると表示できないので、そのまま下方向に移動する指示を出す。これにより、プロジェクタ部１５からコンタクトガラス７に投影されて、前記現在のスキャナ条件に基づいた読取可能な原稿サイズ情報、原稿の縦横情報、カラーまたは白黒の設定情報に加えて、「原稿をセットして下さい」等のコンタクトガラス７上への原稿セットを促すメッセージを表示する。
【００７４】
次いで、原稿サイズ検知センサ２０により、原稿がコンタクトガラス７上に置かれたか否かを検知する（Ｓ２５）。
原稿が検知されると（Ｓ２５のセットされた）、スキャナ制御部１４は、原稿サイズ検知センサ２０により該原稿のサイズを検知し、スキャナ表示モード（図１０（ｂ））において、この検知された原稿サイズに対する画像読取装置２が読み取る原稿サイズの領域（原稿読取エリア）をコンタクトガラス７上に原稿台表示を行う（Ｓ２６）。このときの原稿台表示の表示形式は、例えば、図１３（ａ），（ｂ）に示す表示でよい。またこの場合も、図１３（ａ），（ｂ）の表示形式について、ユーザがいずれの表示形式にするかを選択可能とするとよい。
ユーザは、コンタクトガラス７の原稿台表示に基づいて該コンタクトガラス７上に原稿の読み取らせたい部分を適切に配置できているか否かを確認することができる。
【００７５】
スキャナカバーオープンセンサ１６により、スキャナカバー２５の閉状態が検知されるのを待つ（Ｓ２７）。
スキャナカバー２５が閉状態となると（Ｓ２７の閉）、画像読取装置２はスキャナ表示モードからスキャナ読取モード（図１０（ａ）；スキャナ部動作時）となり、原稿から画像読取をできる状態となる（Ｓ２８）。すなわち、スキャナ制御部１４は、電圧印加をしてコンタクトガラス７の透過率を高くして、コンタクトガラス７を透明状態とし、スキャナ用光源ユニット１１を原稿読み取りの待機位置（画像読取装置上方向の副走査方向の始点）に移動させ、ユーザのスキャナスタート指示待ちの状態となる（Ｓ２９）。
【００７６】
最後に、ユーザにより操作パネル３からスキャナスタートの入力があると（Ｓ２９の有）、原稿読み取りを開始する（Ｓ２ａ）。すなわち、スキャナ用光源ユニット１１が副走査方向に移動しながら原稿に光を照射し、スキャナセンサ１３によってその反射光から原稿データを取得して、スキャナ制御部１４に送信する。次いで、スキャナ制御部１４は、該原稿データを本体制御部２１に送信し、記憶部２２に記憶させるようにする。
【００７７】
なお、図１２，図１４に示した画像形成装置における画像読取装置の制御手順の中で、画像読取装置２が原稿の画像を読み取ることのできない状態であるときには、検知手段（スキャナカバーオープンセンサ１６）がスキャナカバー２５の開状態を検知すると（Ｓ１３，Ｓ２１の開）、コンタクトガラス７の透過率を低くしてスキャナ表示モードとし、画像を読み取ることができない状態である旨のメッセージ情報（ＳＣＡＮ  ＮＧ）を投影するとよい。
【００７８】
また、画像形成装置の起動直後で、画像読取装置２がすぐには原稿の画像を読み取ることのできない状態であるときには、検知手段（スキャナカバーオープンセンサ１６）がスキャナカバー２５の開状態を検知すると（Ｓ１３，Ｓ２１の開）、コンタクトガラス７の透過率を低くしてスキャナ表示モードとし、起動時の待機状態である旨のメッセージ情報（ＷＡＩＴ  ２ｍｉｎ）を投影するとよい。
【００７９】
なお、上述の画像読取装置の制御手順の第１の実施の形態および第２の実施の形態では、スキャナカバー２５の開閉に同期させてスキャナ表示モード（スキャナ部非動作時）／スキャナ読取モード（スキャナ動作時）を制御したが、本発明はこれに何ら限定されるものではない。
例えば、スキャナカバー２５が開いた状態であっても、操作パネル３からスキャナスタートの入力があると強制的にスキャナ読取モードとしてスキャナ動作を開始してもよい。
【００８０】
＜コンタクトガラス７の表示（第１の画像表示）および表示部１７の表示（第２の画像表示）＞
本発明に係る画像読取装置では、コンタクトガラス７上に載置された原稿、あるいはＡＤＦ１から送られてきた原稿は、画像情報が読み取られて記憶部２２に記憶される。
なお、記憶部２２に記憶される画像情報は、詳細を後述するプレビュー表示機能を行わずに即時画像形成部５に送信され、該画像情報に基づき画像形成を行うものとしてもよい。
しかしながら、出力イメージを確認せずに画像形成（印刷）を実行すると、コンタクトガラス７上に載置する時の原稿位置がずれている場合や、ＡＤＦ１に原稿を表裏逆で載置した場合など、所望の画像が得られないという問題がある。さらに近年では、デジタル複写機が高機能化されてきたことに伴い、様々な画像処理機能が搭載されているが、実際の出力画像を印刷前に予測することが難しいという問題がある。
かかる問題は実際に画像を出力して（画像形成を実行して）確認することができるが、記録用紙が無駄になる。
【００８１】
そこで本発明に係る画像読取装置では、コンタクトガラス７に、記憶部２２に記憶された画像読取装置で読み取られた画像情報を表示させる、プレビュー表示機能が実装されている（第１の画像表示）。また、本実施の形態では表示部１７においても同様に記憶部２２に記憶された画像読取装置で読み取られた画像情報を表示させること（但し、縮小された状態で）ができる（第２の画像表示）。
【００８２】
図１５は本発明に係る画像読取装置におけるコンタクトガラス７のプレビュー表示機能の一態様、及び、表示部１７のプレビュー表示機能の一態様を説明するための図である。
【００８３】
・サムネイル表示
図１５（ａ）では記憶部２２に記憶された複数の画像データがコンタクトガラス７にサムネイル表示されている。図１５（ａ）に示す例では１５の画像が縮小された状態でサムネイル表示されている。
ここで例えば、ＡＤＦ１から数枚ないし数十枚の原稿が送られて読み取り実行した場合は、１度の読み取り実行操作により記憶部２２には原稿の数に応じた複数の画像データが記憶される。この複数の画像データを１つずつ順次画像表示することは時間を要し、また操作も煩雑となる。
【００８４】
このため、ユーザが認識できる程度に縮小した各画像データを複数表示した、サムネイル表示形式でコンタクトガラス７に表示することで、短時間かつ簡易な操作で複数の画像を確認することができる。なお、サムネイル表示の際には、所望の大きさ、枚数のサムネイル表示形式となるようにユーザが操作により適宜選択できることが好ましい。
【００８５】
このとき表示部１７では、コンタクトガラス７に表示したサムネイル表示形式の複数の画像を同様に表示するものとする。但し、コンタクトガラス７は例えばＡ３サイズ程度の表示エリアを有するが、これと比較して表示部１７の表示エリアは狭いため、表示部１７のサムネイル表示ではユーザが充分に認識できる程度の大きさで表示されてはいないこともある。
【００８６】
表示部１７はタッチパネル機能を有し、ユーザが表示部１７に触れることで操作しコマンドを入力することができる。表示部１７には、ページ送り／戻り入力ＳＷが設けられていて、サムネイル表示されている複数の画像の中の１または２以上を指定することができる。あるいは、表示部１７にサムネイル表示されている複数の画像を直接ユーザが触れること（例えばダブルクリックをすること）で、１または２以上の画像を指定することができる。
この表示部１７のタッチパネル機能により、後述する選択画像表示において表示される画像を選択指定すること、及びこの表示される画像の表示順あるいは印刷出力の際の出力順を設定すること、並びに、削除画像を指定することができる。
【００８７】
なお、本実施の形態では表示部１７がタッチパネル機能を有し、入力部１８の一部の機能を備えることとしているが、一部のみを備える形態に限られるものではなく、入力部１８の全ての機能を備える形態としてもよい。
【００８８】
また、このコンタクトガラス７に表示されているサムネイル表示は、そのまま記録用紙に印刷することができ、記録用紙上で複数の画像を確認することもできる。
さらに、このコンタクトガラス７に表示されているサムネイル表示の状態において、それぞれの画像に画像処理（画像処理の詳細は後述する。）を行ってもよい。
【００８９】
・原寸表示
図１５（ｂ）では記憶部２２に記憶された画像情報が、コンタクトガラス７上に原寸（印刷する画像サイズと同サイズ）表示されている。
図１５（ｂ）に示す例では画像（図示の例では２の画像）が原寸で表示されているため、実際の出力イメージを確認することができる。この原寸での画像表示の場合においても、表示部１７には原寸から縮小した画像を表示し、サムネイル表示の場合と同様にタッチパネル機能により画像を指定することができる。また、このコンタクトガラス７に表示されている原寸表示画像は、そのまま記録用紙に印刷することができ、記録用紙上で原寸画像を確認することもできる。さらに、このコンタクトガラス７に表示されている原寸表示の状態において、画像に画像処理を行ってもよい。
このように、原寸表示を可能とすることにより、ユーザのイメージに近い画像が得られる。
【００９０】
・選択画像表示
図１５（ｃ）では、図１５（ａ）や図１５（ｂ）で選択された画像がコンタクトガラス７に表示されている。図１５（ｃ）に示す例では、３の選択画像が表示されていて、この選択画像を印刷、画像処理することができる。この選択画像表示の場合においても、表示部１７には原寸から縮小した画像を表示し、サムネイル表示の場合と同様にタッチパネル機能によりコマンド入力（印刷、画像処理等のコマンドを入力）することができる。なお、画像処理の詳細は後述する。
【００９１】
・グリッド表示
図１５（ｄ）では、記憶部２２に記憶された画像データに加えて、実際には印刷されない半透明の格子状のグリッド線が重ねられた画像情報がコンタクトガラス７に表示されている。
この半透明の格子状のグリッド線表示をすることで、原稿をスキャンしたときに曲がっていなかったかどうかを簡単に確認することができる。
また、図１５（ｄ）に示すが如く、グリッドの交点などの２点を指定して長さ（原寸）を表示させることもできる。なお、原寸表示の際には定規等を用いて実際に測定することもできる。
【００９２】
＜コンタクトガラス７に表示された画像の合成画像処理（素材画像の合成）＞
図１６は本発明に係る画像読取装置においてプレビュー表示された素材画像の合成処理の一態様を説明するための図である。
図１６（ａ）は、素材画像となる画像が表示部１７にサムネイル表示されている例を示す。図１６（ａ）に示す例では素材画像となる５つの画像がサムネイル表示されていて、これらの素材画像は予めＡＤＦ１などを用いてスキャンされて記憶部２２に記憶された画像である。また、表示部１７では、サムネイル表示されている素材画像となる５つの画像を、タッチパネル操作などにより画像選択することができる。
このとき、コンタクトガラス７においても素材画像となる画像を表示部１７と同様にサムネイル表示する（ただし、表示部１７よりも拡大された状態である。）ことが好ましい。
【００９３】
次いで、メモリ合成モードを選択し、図１６（ａ）のサムネイル表示された素材画像から画像選択し、これらを合成する。
図１６（ｂ）は表示部１７で画像選択された素材画像のうちの３つの選択画像が表示部１７に縮小表示された例を示す。また、表示部１７では３つの選択画像をタッチパネル操作などにより画像処理することができる。
このとき、コンタクトガラス７においても表示部１７に表示されている３つの選択画像が原寸表示されてなる。
図１６（ｂ）に示す例では未だ素材画像の配置が決定されていない状態であり、表示部１７のタッチパネル機能によりユーザが各素材画像を移動等の画像処理を行い、適宜配置することで所望の合成画像が得られる。なお、図１６（ｂ）に示す点線の枠は、出力するＡ３サイズに相当する領域を表す。
【００９４】
ここで、図１６（ｂ）に示す３つの画像データは、表示部１７のタッチパネル操作により任意の１つの画像データを選択し、各々について移動等の画像処理を行い所望の合成画像を得る。このとき、表示部１７では、画像処理の際にいずれの１つの画像データが選択されているかを認識可能に表示することが好ましい。
なお、移動等の画像処理を行う選択された１つの画像データは、（Ａ）第２の画像表示が行われている領域とは異なる領域に表示されてなり、該異なる領域において画像処理動作を設定すること、あるいは、（Ｂ）第２の画像表示が行われている領域において、当該第２の画像表示とは表示輝度または表示色を異ならせて表示されてなり、該第２の画像表示が行われている領域において画像処理動作を設定すること、が好ましい。
【００９５】
図１６（ｃ）は表示部１７で画像処理された３つの選択画像（合成画像）が表示部１７に縮小表示された例を示す。図１６（ｂ）の状態から移動等の画像処理が行われ、３つの選択画像が所望の合成画像を構成している。また、コンタクトガラス７には、表示部１７に縮小表示されている画像処理された３つの選択画像（合成画像）が、原寸表示されている。
【００９６】
図１６（ｄ）は表示部１７に縮小表示された素材画像及び合成画像、並びに、ユーザインターフェース情報の例を示す。図１６（ｄ）に示す例に何ら限定されるものではないが、例えば表示部１７の左上に素材画像のサムネイル表示、右上に選択画像あるいは選択画像の画像処理後の合成画像、下部にユーザインターフェース情報をそれぞれ示し、画像選択や画像処理動作等をタッチパネル機能により簡易に行うことができる。
ユーザインターフェース情報はメニューが表示され各種の画像処理動作（画像操作モード）が適宜選択することができる。画像処理動作としては例えば、切り取りモード、回転モード、移動モード、縮小モード、拡大モード、テキスト入力モード等が挙げられる。このほか、画像処理の手順など、合成画像の作成の補助となる情報をユーザに示すものとしてもよい。
【００９７】
図１６（ｅ）は、さらに「コピー禁止」というテキストが合成された画像が表示部１７に表示された例を示す。このとき、コンタクトガラス７においても表示部１７に表示されている画像が原寸表示されてなる。
ユーザインターフェースによりテキスト入力を行うことで、合成画像にさらにテキストを追加することができる。テキスト入力は、表示部１７に入力キーを表示してタッチパネル機能によりテキストを入力する入力方式でもよく、表示部１７外にあるテンキーを用いて、携帯電話などで汎用されているような方式で入力する入力方式でもよい。
入力されたテキストは、さらにフォント、文字サイズ、枠などを設定することができる。
そして、図１６（ｅ）のように加工された「コピー禁止」のテキストは図示の位置に配置され、合成画像となる。
なお、定型文字、定型文章やマークなどが予め登録されていてもよく、ユーザが作成した素材画像をデフォルトで登録してもよい。
【００９８】
以上のようにして得られた合成画像は、コンタクトガラス７で原寸表示されてなり、ユーザが確認をした後に、印刷ボタンが押下され印刷実行がなされる。
【００９９】
＜コンタクトガラス７に表示された画像の合成画像処理（追加原稿との合成）＞
図１７は本発明に係る画像読取装置におけるコンタクトガラス７に既にスキャンされた画像と追加原稿との合成処理の一態様を説明するための図である。
図１７（ａ）は既にスキャンされた画像の例を示し、図１７（ｂ）は追加原稿の画像の例を示す。また、これらを合成することで図１７（ｃ）に示す合成画像を得る。
【０１００】
以下、具体的な合成の手順について詳細に説明する。
直接合成モードを選択すると、コンタクトガラス７にはスキャンされ記憶部２２に記憶された画像が、原寸かつ裏向きに表示される。（図１７（ｄ）参照。）
次いで、追加原稿を合成する領域を表示部１７で操作して指定する。例えば、図１７（ｄ）に示すように点線枠で追加原稿を合成する領域を表し、コンタクトガラス７と表示部１７との双方に同様に表示する。
そして、追加原稿を合成する領域が表示された状態で、追加原稿を裏返してコンタクトガラス１７上に配置する。（図１７（ｅ）参照。）このとき、プロジェクタ部１５の輝度を上げる、もしくはコンタクトガラス７の透過率を上げることで、追加原稿となる紙が透けて見え易くすることが好ましく、しかる後に、図１７（ｅ）に示すが如く、透けて見える星印が追加原稿を合成する領域内に収まるように追加原稿を調整配置する。
追加原稿を配置した後に、スキャナカバー１５を閉じて、スキャンを実行する。
以上の操作により、先ず、図１７（ａ）に示す画像に、図１７（ｂ）に示す画像の一部である星印が合成され、合成画像がコンタクトガラス７に原寸表示されると共に表示部１７に縮小表示される。
【０１０１】
さらに、図１７（ｂ）に示す黒の横線を、星印を合成する場合と同様の手順により合成し、図１７（ｃ）に示す合成画像を得る。この合成画像は同様にコンタクトガラス７に原寸表示されると共に表示部１７に縮小表示される。（図１７（ｆ）参照。）
以上のようにして得られた合成画像は、コンタクトガラス７で原寸表示されてなり、ユーザが確認をした後に、印刷ボタンが押下され印刷実行がなされる。
なお、既にスキャンされて記憶部２２に記憶された画像は原寸で画像処理されることに限定されるものではなく、拡大／縮小、回転等の画像処理の後に直接合成モードにより、追加原稿を合成してもよい。
【０１０２】
＜コンタクトガラス７に表示された画像の編集画像処理（切り取りモード）＞
・切り取りモード
図１８は本発明に係る画像読取装置におけるコンタクトガラス７に表示されたプレビュー画像の画像処理（切り取り処理）の一態様を説明するための図である。
図１８（ａ）はプレビュー表示された画像の例を示し、図１８（ｂ）は図１８（ａ）にプレビュー表示された画像の一部であり、ユーザが必要とする領域である。
コンタクトガラス７にはスキャンされ記憶部２２に記憶された画像が、原寸表示される。（図１８（ａ）参照。）
次いで、切り取りモードを選択し、ユーザが必要とする領域を指定する。この必要とする領域は、図１８（ａ）で示す点線枠内の領域であり、Ａ４サイズである。なお、プレビュー表示されている画像はＡ３サイズに相当する。
以上のようにして得られた切り取り画像は、コンタクトガラス７で原寸表示されてなり、ユーザが確認をした後に、印刷ボタンが押下され印刷実行がなされる。
【０１０３】
＜コンタクトガラス７に表示された画像の編集画像処理（回転モード）＞
・回転モード
図１９は本発明に係る画像読取装置におけるコンタクトガラス７に表示されたプレビュー画像の画像処理（回転処理）の一態様を説明するための図である。
図１９（ａ）はプレビュー表示された画像の例を示し、図１９（ｂ）は図１９（ａ）にプレビュー表示された画像の一部を回転させた例を示す。
コンタクトガラス７にはスキャンされ記憶部２２に記憶された画像が、原寸表示される。（図１９（ａ）参照。）
図１９（ａ）に示す例では、斜めにスキャンされたため、所望の状態から斜めになった状態でコンタクトガラス７及び表示部１７に表示されてなる。
次いで、回転モードを選択し、ユーザが必要とする領域を指定する。なお、フリーサイズで領域を指定することも、Ａ４サイズ等の所定の領域を指定することもでき、図１９（ａ）で示すように点線枠で指定された領域が表示される（印刷エリアを示す領域表示）。しかる後に、指定された領域を適宜回転させることで所望の回転画像が得られる。
以上のようにして得られた回転画像は、コンタクトガラス７で原寸表示されてなり、ユーザが確認をした後に、印刷ボタンが押下され印刷実行がなされる。
なお、以上の例では点線枠で指定された領域を回転して所望の回転画像を得られる形態としたが、本発明はこれに限られるものではなく、点線枠（印刷エリアを示す領域表示）を固定しプレビュー表示されている画像を回転させ点線枠内に移動させる形態としてもよい。また、指定された領域あるいはプレビュー表示されている画像は、回転（傾きの変更）だけに限らず、位置の移動、及び大きさの変更（拡大／縮小）などから適宜選択される１または２以上の画像処理としてもよい。
【符号の説明】
【０１０４】
１  自動原稿送り装置（ＡＤＦ）
２  画像読取装置
３  操作パネル
４  排紙トレイ
５  画像形成部
６  用紙トレイ
７  コンタクトガラス
８  原稿
１１  スキャナ用光源ユニット
１３  スキャナセンサ
１４  スキャナ制御部
１５  プロジェクタ部
１６  スキャナカバーオープンセンサ
１７  表示部
１８  入力部
１９  操作パネル制御部
２０  原稿サイズ検知センサ
２１  本体制御部
２５  スキャナカバー
１００  画像形成装置
【先行技術文献】
【特許文献】
【０１０５】
【特許文献１】特開２０００−３５８１３１号公報
【図１】
0005387464.tif 000002
【図２】
0005387464.tif 000003
【図３】
0005387464.tif 000004
【図４】
0005387464.tif 000005
【図５】
0005387464.tif 000006
【図６】
0005387464.tif 000007
【図１１】
0005387464.tif 000008
【図１２】
0005387464.tif 000009
【図１３】
0005387464.tif 000010
【図１４】
0005387464.tif 000011
【図１５】
0005387464.tif 000012
【図１６】
0005387464.tif 000013
【図１８】
0005387464.tif 000014
【図１９】
0005387464.tif 000015
【図７】
0005387464.tif 000016
【図８】
0005387464.tif 000017
【図９】
0005387464.tif 000018
【図１０】
0005387464.tif 000019
【図１７】
0005387464.tif 000020